(57)【要約】【目的】  披露宴会場における出席者にとって、もっと役立つ席次表をプリントすることができるプリントシステムを提供することにある。【構成】  宴会場における席次表を顔写真付き席次表として出力する宴会席次表プリントシステムであって、予め用意されている出席者の席次表を記憶している記憶手段と、  デジタルカメラにて撮影した出席者の顔写真を、出席者の氏名と紐づけて入力する入力手段と、  その入力手段にて入力された顔写真を前記記憶手段に記憶されている席次表に対応させて顔写真付き席次表をプリント可能であるように作成し、前記記憶手段に記憶させる演算手段と、  その演算手段が作成した顔写真付き席次表をプリントするプリンタ本体とを備える。【選択図】    図１
2007199874.tif 000002
【特許請求の範囲】
【請求項１】
宴会場における席次表を顔写真付き席次表として出力する宴会席次表プリントシステムであって、
予め用意されている出席者の席次表を記憶している記憶手段と、
デジタルカメラにて撮影した出席者の顔写真を、出席者の氏名と紐づけて入力する入力手段と、
その入力手段にて入力された顔写真を前記記憶手段に記憶されている席次表に対応させて顔写真付き席次表をプリント可能であるように作成し、前記記憶手段に記憶させる演算手段と、
その演算手段が作成した顔写真付き席次表をプリントするプリンタ本体と、
を備えたことを特徴とする宴会席次表プリントシステム。
【請求項２】
撮影されたデジタル画像データの中の顔を識別することができる顔識別プログラムが記憶された顔識別プログラム記憶手段と、
宴会の最中に出席者のデジタル画像データを入力する画像データ追加入力手段と、
その画像データ追加入力手段によって入力されたデジタル画像データを、前記顔識別プログラム記憶手段に記憶された顔識別プログラムによって仕分けする仕分け手段と、
その仕分け手段によって仕分けされたデジタル画像データを、前記顔写真付き席次表の出席者に紐づけて記憶させる仕分け画像記憶手段と、
を備えた請求項１に記載の宴会席次表プリントシステム。
【請求項３】
前記プリンタ本体は、前記仕分け画像記憶手段によって記憶された仕分け済みのデジタル画像データを、出席者毎にプリント可能な請求項２に記載の宴会席次表プリントシステム。
【請求項４】
宴会場における席次表を顔写真付き席次表としてプリントするためのコンピュータプログラムであって、
予め用意されている出席者の席次表を記憶手段に記憶している記憶手順と、
デジタルカメラにて撮影された出席者の顔写真を、出席者の氏名と紐づけて入力する入力手順と、
その入力手順にて入力された顔写真を前記記憶手段に記憶されている席次表に対応させて顔写真付き席次表をプリント可能であるように作成する演算手順と、
その演算手順作成した顔写真付き席次表をプリントする命令をプリンタ本体に出力する出力手順と、
をコンピュータに実行させることとしたコンピュータプログラム。
【請求項５】
撮影されたデジタル画像データの中の顔を識別することができる顔識別プログラムを予め記憶手段に記憶している顔識別プログラム記憶手順と、
宴会の最中に出席者のデジタル画像データを入力する画像データ追加入力手順と、
その画像データ追加入力手順にて入力されたデジタル画像データを、前記顔識別プログラム記憶手段に記憶された顔識別プログラムによって仕分けする仕分け手順と、
その仕分け手順にて仕分けされたデジタル画像データを、前記顔写真付き席次表の出席者に紐づけて記憶させる仕分け画像記憶手順と、
をコンピュータに実行させることとした請求項４に記載のコンピュータプログラム。
【請求項６】
前記仕分け画像記憶手順にて記憶された仕分け済みのデジタル画像データを、出席者毎にプリントする命令をプリンタ本体に出力する追加画像プリント手順をコンピュータに実行させることとした請求項５に記載のコンピュータプログラム。
【発明の詳細な説明】
【技術分野】
【０００１】
本発明は、図形、文字および写真を含む席次表を印刷する宴会席次表プリントシステム、および図形、文字および写真を含む席次表を印刷することに適したコンピュータプログラムに係る発明に関する。
【背景技術】
【０００２】
（パーティ、宴会）  出席者がお互いの顔を知っているパーティや宴会は、仲間内で企画されたパーティや頻度の高い同窓会など、限られている。すなわち、パーティのホスト役は、全ての出席者の顔と名前が一致するのであろうが、出席者同士が全て顔見知りであるというパーティや宴会は稀である。
出席者同士がその場で知り合うことが、そもそも当該パーティや宴会の目的の一つであることも多い。
【０００３】
（披露宴）
披露宴の場合、ホスト役である新郎新婦のみが、全ての出席者の顔と名前が一致するといっても過言ではない。ところが、披露宴の主役でもあるので、他のパーティのホスト役のように、歓談の時間であるとしても「誰を紹介して欲しい」と呼び出すわけにも行かない。
しかしながら、出席者同士が当該披露宴にて知り合いになってくれることを、新郎新婦としては、潜在的には望んでいる。
【０００４】
（顔認識ソフト）
ところで、画像データにおける顔を認識し、識別して仕分けをする技術は、年々発展を遂げている。たとえば、特許文献１に記載するような技術のほか、様々な技術がある。
【０００５】
【特許文献１】特開２００５−３３１１７３号公報
【発明の開示】
【発明が解決しようとする課題】
【０００６】
披露宴においては、名刺交換が目的ではないので、顔と名前とを一致させて覚えるチャンスは極めて少ない。出席者にとって、初めて会う人に関する情報は、受付時に配布される図４に示すような席次表が唯一のツールである。
しかし、その席次表では、時間の経過とともに忘却し、他の出席者の顔と名前とが一致しなくなる。
【０００７】
前述したように、顔認識ソフトが発達してはいるが、名前と紐づけられた画像データでなければ使えない。そのため、披露宴にて多くの写真を撮影したとしても、名札とともに写っていない限り、曖昧な記憶に頼らざるを得ないのが現状である。
【０００８】
本発明が解決しようとする課題は、披露宴会場における出席者にとって、もっと役立つ席次表を提供することにある。
ここで、請求項１から請求項３に記載の発明の目的は、披露宴会場における出席者にとって、もっと役立つ席次表をプリントすることができるプリンタシステムを提供することにある。
また、請求項４から請求項６に記載の発明の目的は、披露宴会場における出席者にとって、もっと役立つ席次表をプリントすることができるコンピュータプログラムを提供することにある。
【課題を解決するための手段】
【０００９】
（請求項１）
請求項１記載の発明は、宴会場における席次表を顔写真付き席次表として出力する宴会席次表プリントシステムに係る。
すなわち、予め用意されている出席者の席次表を記憶している記憶手段と、  デジタルカメラにて撮影した出席者の顔写真を、出席者の氏名と紐づけて入力する入力手段と、  その入力手段にて入力された顔写真を前記記憶手段に記憶されている席次表に対応させて顔写真付き席次表をプリント可能であるように作成し、前記記憶手段に記憶させる演算手段と、  その演算手段が作成した顔写真付き席次表をプリントするプリンタ本体と、を備えたことを特徴とする宴会席次表プリントシステムに係る。
【００１０】
（用語説明）
「宴会」とは、披露宴、各種パーティ、などである。
「席次表」とは、各出席者が座るべき席を、宴会場の見取り図に、当該出席者の氏名や肩書きなど加えたものである。本願発明は、出席者の氏名が示された近傍に顔写真を配置した顔写真付き席次表をプリントするプリンタに係る。
「記憶手段」とは、たとえばプリンタに接続されたパーソナルコンピュータのハードディスクである。
「入力手段」とは、デジタルカメラにて撮影された出席者の顔写真に係るデジタルデータを転送する操作ユニットやデータ記録媒体、キーボードやマウスなどの入力装置などである。
【００１１】
（作用）
記憶手段には、予め用意されている出席者の席次表が記憶されている。出席者が宴会場に現れたら、その出席者の顔をデジタルカメラにて撮影し、入力手段を用いてその顔写真と氏名とを紐付けして入力する。その入力手段にて入力された顔写真を前記記憶手段に記憶されている席次表に対応させて顔写真付き席次表をプリント可能であるように演算手段が作成し、前記記憶手段に記憶させる。出席者の顔写真が全て（出席予定者の顔写真撮影が終了する）揃うまで繰り返す。その演算手段が作成した顔写真付き席次表をプリンタ本体によってプリントする。
プリントされた顔写真付き席次表を、宴会開始直後に配布すれば、当該宴会の出席者にとって有益な情報となる。
【００１２】
（請求項２）
請求項２記載の発明は、請求項１に記載の宴会席次表プリントシステムを限定したものである。
すなわち、撮影されたデジタル画像データの中の顔を識別することができる顔識別プログラムが記憶された顔識別プログラム記憶手段と、  宴会の最中に出席者のデジタル画像データを入力する画像データ追加入力手段と、  その画像データ追加入力手段によって入力されたデジタル画像データを、前記顔識別プログラム記憶手段に記憶された顔識別プログラムによって仕分けする仕分け手段と、  その仕分け手段によって仕分けされたデジタル画像データを、前記顔写真付き席次表の出席者に紐づけて記憶させる仕分け画像記憶手段と、を備えたことを特徴とする。
【００１３】
（用語説明）
「顔識別プログラム」とは、一般に「顔認証ソフト」と呼ばれるソフトウェアである。
「仕分け画像記憶手段」とは、たとえば、顔写真付き席次表における顔または出席者名の部位をクリックすると、当該出席者が写っている宴会最中の画像データが全てあるいは順送りに表示されるように記憶している。
【００１４】
（作用）
顔識別プログラム記憶手段には、撮影されたデジタル画像データの中の顔を識別することができる顔識別プログラムが予め記憶されている。宴会の最中に出席者の撮影を行った場合、画像データ追加入力手段を用いて当該デジタル画像データを入力する。その画像データ追加入力手段によって入力されたデジタル画像データは、前記顔識別プログラム記憶手段に記憶された顔識別プログラムによって仕分けされる。そして、その仕分け手段によって仕分けされたデジタル画像データは、仕分け画像記憶手段が前記顔写真付き席次表の出席者に紐づけて記憶させる。
仕分け画像記憶手段によって記憶されたデジタル画像データは、出席者毎に整理されて記憶されているので、出席者の顔を全て知っているわけではない宴会幹事でなくても仕分け作業が完了できることとなる。また、宴会幹事は、後日、出席者に連絡を取る際に有益なデータを取得できることとなる。
【００１５】
（請求項３）
請求項３記載の発明は、請求項２に記載の宴会席次表プリントシステムを限定したものである。
すなわち、前記プリンタ本体は、前記仕分け画像記憶手段によって記憶された仕分け済みのデジタル画像データを、出席者毎にプリント可能であることを特徴とする宴会席次表プリントシステムに係る。
【００１６】
（作用）
前記プリンタ本体は、前記仕分け画像記憶手段によって記憶された仕分け済みのデジタル画像データを、出席者毎にプリントする。たとえば、宴会が終了して、各出席者が宴会場を退席する際に、当該出席者が写っている画像を全てプリントして手渡しすることができる。
【００１７】
（請求項４）
請求項４記載の発明は、宴会場における席次表を顔写真付き席次表としてプリントするためのコンピュータプログラムに係る。
すなわち、予め用意されている出席者の席次表を記憶手段に記憶している記憶手順と、  デジタルカメラにて撮影された出席者の顔写真を、出席者の氏名と紐づけて入力する入力手順と、  その入力手順にて入力された顔写真を前記記憶手段に記憶されている席次表に対応させて顔写真付き席次表をプリント可能であるように作成する演算手順と、  その演算手順作成した顔写真付き席次表をプリントする命令をプリンタ本体に出力する出力手順と、をコンピュータに実行させることとしたものである。
【００１８】
（請求項５）
請求項５記載の発明は、請求項４に記載のコンピュータプログラムを限定したものである。
すなわち、撮影されたデジタル画像データの中の顔を識別することができる顔識別プログラムを予め記憶手段に記憶している顔識別プログラム記憶手順と、  宴会の最中に出席者のデジタル画像データを入力する画像データ追加入力手順と、  その画像データ追加入力手順にて入力されたデジタル画像データを、前記顔識別プログラム記憶手段に記憶された顔識別プログラムによって仕分けする仕分け手順と、  その仕分け手順にて仕分けされたデジタル画像データを、前記顔写真付き席次表の出席者に紐づけて記憶させる仕分け画像記憶手順と、  をコンピュータに実行させることとしたコンピュータプログラムに係る。
【００１９】
（請求項６）
請求項６記載の発明は、請求項５に記載のコンピュータプログラムを限定したものである。
すなわち、前記仕分け画像記憶手順にて記憶された仕分け済みのデジタル画像データを、出席者毎にプリントする命令をプリンタ本体に出力する追加画像プリント手順をコンピュータに実行させることとしたコンピュータプログラムに係る。
【００２０】
請求項４から請求項６に記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ伝送することも可能である。
また、汎用的な端末装置に対して、請求項４に記載の発明に係るプログラムをプリインストール、あるいはダウンロードすることで、請求項１に係るプリンタシステムを形成することも可能である。
【発明の効果】
【００２１】
請求項１から請求項３に記載の発明によれば、披露宴会場における出席者にとって、もっと役立つ席次表をプリントすることができるプリンタシステムを提供することができた。
また、請求項４から請求項６に記載の発明によれば、披露宴会場における出席者にとって、もっと役立つ席次表をプリントすることができるコンピュータプログラムを提供することができた。
【発明を実施するための最良の形態】
【００２２】
以下、本発明を実施の形態及び図面に基づいて、更に詳しく説明する。ここで使用する図面は、図１から図３である。図１は、顔写真付き席次表の概念図およびその顔写真付き席次表を出力するためのフローチャートである。図２は、顔認識プログラムによって出席者毎にプリントをするとともに、顔写真付き席次表をデータベース化する手順とその概念を示した図である。図３は、データベース化された顔写真付き席次表の概念を示す図である。
【００２３】
（図１）
図１に示すフローチャートにしたがって、本実施形態について説明する。この実施形態では、披露宴における席次表を、顔写真付きの席次表として出力し、披露宴の開始直後に出席者へ配布することを想定している。
披露宴会場の受付には、デジタルカメラ、顔写真付き席次表を作成するためのパーソナルコンピュータが用意されている。そして、予め、顔写真のない席次表が前記パーソナルコンピュータの記憶装置に記憶されている。
【００２４】
さて、披露宴の出席者であるＡ氏が披露宴会場に到着したとする。
受付係は、「新郎の大学友人であるＡ様」であるとの確認の上、Ａ氏の顔を前記デジタルカメラにて撮影する。そのデジタルカメラによるＡ氏の顔画像データを、前記パーソナルコンピュータに取り込む。そして、新たに作成すべき顔写真付き席次表に貼り付ける。
この時点で、受付係は、作成された顔写真付き席次表におけるＡ氏の位置にＡ氏の顔写真が正確に貼り付けられているか（他者との錯誤がないか）、Ａ氏に確認することが望ましい。Ａ氏には、この時点では顔写真のない席次表を手渡しする。自分の席に座って待つことが一般的だからである。
【００２５】
出席者が随時到着したら、そのたびに前記デジタルカメラによる顔写真の撮影を繰り返し、前記パーソナルコンピュータへの顔画像データの取り込みを繰り返す。それによって、出席者全ての顔写真付き席次表が完成する。
顔写真付き席次表完成するということは、出席者が揃ったということであるので、披露宴が開始されるはずである。そこで、出席者の人数分の顔写真付き席次表をプリントする。そして、既に自席につかれている披露宴出席者に配布する。
【００２６】
出席者にとっては、顔と名前とを一致させて覚えることが容易であるし、後日忘れてしまっても、この顔写真付き席次表があれば、思い出しやすい。披露宴の二次会が開催されるような場合にも、初めて会う者同士が話しをするきっかけにもなり、有益なツールである。
【００２７】
（図２）
図２は、披露宴会場専属のカメラマンや披露宴出席者によるデジタルカメラの撮影画像を、前記パーソナルコンピュータに取り込み、出席者毎に仕分けしてプリントする手順を示している。
前記パーソナルコンピュータには、顔認識プログラムが予め記憶されている。また、顔写真付き席次表の作成時点で、顔画像と出席者の氏名とを一致させたデータも揃っている。そこで、披露宴の最中に撮影されてパーソナルコンピュータに取り込まれた画像データを、顔認識プログラムによって仕分けする。
【００２８】
仕分けされた画像データは、出席者毎にフォルダにて管理する。そして、披露宴のお開きまでの間に、出席者毎にプリントアウトすることができる。そのプリントアウトした写真を簡易アルバムにしておき、新郎新婦が出席者に出席のお礼とともに手渡しする、といった演出も可能である。
【００２９】
一方、パーソナルコンピュータには、顔写真付き席次表の他、披露宴の最中に撮影されてパーソナルコンピュータに取り込まれた画像データが、出席者毎にフォルダ化されて記憶されている。これらのデータをデータベース化し、別の媒体（例えばＤＶＤ）に保存することで、「披露宴出席者のデジタル写真集」が作成できることとなる。
【００３０】
（図３）
図３は、前記した「披露宴出席者のデジタル写真集」の概念を示している。
パーソナルコンピュータに、「披露宴出席者のデジタル写真集」のデータを読み込ませる。そして、画面出力させると、まず、顔写真付き席次表が画面上に現れる。
その席次表における氏名の部分には、クリックボタンが用意されており、そのボタンをクリックすると、その氏名に係る方が写った画像が次々に表示できるといったものである。
このような「披露宴出席者のデジタル写真集」は、新郎新婦にとって非常に便利で、しかも思い出に残る記念品となる。
【産業上の利用可能性】
【００３１】
本願発明は、画像データや写真を扱うソフトウェア業、披露宴やパーティを企画運営するサービス業、披露宴やパーティ会場を提供するサービス業などにおいて利用可能性がある。
【図面の簡単な説明】
【００３２】
【図１】顔写真付き席次表の概念図およびその顔写真付き席次表を出力するためのフローチャートである。
【図２】顔認識プログラムによって出席者毎にプリントをするとともに、顔写真付き席次表をデータベース化する手順とその概念を示した図である。
【図３】データベース化された顔写真付き席次表の概念を示す図である。
【図４】披露宴において用いられる従来の席次表のモデルを示した図である。
【図１】
2007199874.tif 000003
【図２】
2007199874.tif 000004
【図３】
2007199874.tif 000005
【図４】
2007199874.tif 000006